(57)【要約】【課題】棒状化粧品繰出し容器を床面上等へ落下させたとき、該容器の下蓋から容器本体が外れて棒状化粧品繰出しが不能となることがあったため、そのようなことが生じないようにした。【解決手段】容器本体１１の上部外面へ着脱自在に嵌合させるキャップ周壁２３の上部内面へ適当数のスペーサ２４を付設して、該スペーサ下端面を容器本体１１の上端面へ係合させた。【選択図】  図１
2004174102.tif 000002
【特許請求の範囲】
【請求項１】
底壁２から嵌合筒３を、かつ外周から摘み筒４を、それぞれ起立する下蓋１と、
上記嵌合筒３外面へ、固定筒１２の下部を回動不能に嵌合させて摘み筒上方へ起立する、化粧品繰出し機構付きの容器本体１１と、
上記摘み筒上方へ起立する容器本体部分外面へ、頂壁２２外周が垂下する周壁２３を着脱自在に嵌合させたキャップ２１とからなり、
摘み筒４の上端面ないし上部外面に形成した上向き段部４ｅへ、キャップ周壁２３の下端面を当接させると共に、容器本体上端面とキャップ頂壁２２の外周部下面との間に間隙を有する棒状化粧品繰出し容器において、
上記キャップ周壁２３の上部内面へ、適当数のスペーサ２４を縦設して、該スペーサ下端面を容器本体上面へ当接ないし近接させた
ことを特徴とする棒状化粧品の繰出し容器
【発明の詳細な説明】
【０００１】
【発明の属する技術分野】
本発明は棒状化粧品繰出し容器に関する。
【０００２】
【従来の技術】
棒状化粧品、例えば棒状口紅繰出し容器は、通常底壁外周近くから嵌合筒を、かつ外周から嵌合筒よりも高く摘み筒を、それぞれ起立する下蓋と、上部嵌合筒外面へ、固定筒下部を回動不能に嵌合させて摘み筒上方まで起立する、化粧品繰出し機構付きの容器本体と、上記摘み筒上方へ起立する容器本体部分の外面へ、頂壁外周から垂下する周壁を着脱自在に嵌合させたキャップとで形成されている。尚上記容器本体は、嵌合筒よりも上方へ突出する固定筒外面へ、回動不能に把持筒を嵌合させると共に、固定筒内には棒状化粧品の受筒ないし受皿を嵌合させ、上記固定筒筒壁の左右両側には縦長孔ないし螺状孔を、把持筒内壁面の対向位置には螺状溝ないし縦長溝を、それぞれ穿設させ、又上記受筒等の左右両側面が突出させたピンを、上記縦長孔等と螺状溝との交点部分において、縦長孔等に挿通させ、かつ螺状溝等内面へピン先端を係合させて、把持筒に対して摘み筒を正逆両方向へ回すと受筒等が固定筒に対して上下動し、棒状化粧品が繰り出され、又繰込みされるよう設計している（  例えば特許文献１参照）。
【０００３】
【特許文献１】
特開２００１−３４０１３４号公報
【０００４】
【発明が解決しようとする課題】
上記従来の棒状化粧品繰出し容器は、誤って床面等に落したとき、下蓋の嵌合筒から容器本体から抜け出し、そのため把持筒に対して下蓋の摘み筒を正逆いずれの方向へ回しても受筒等が上下動しなくなり、棒状化粧品の繰出し、繰込みが不能となることがあった。
【０００５】
このようなことは、その繰出し容器を落したとき、常に生ずる訳ではなく、稀に生ずるが、消費者が商品に対して不信感を持つこととなり、好ましくない。
【０００６】
本発明者はその原因を究明することで、上記事態の発生は、繰出し容器がキャップを下に落下したときであること、又摘み筒の上端面ないし摘み筒の上部外面に形成された上向き段部上面へキャップ周壁下端面が当接する容器であること、更に容器本体上端面とキャップ頂壁の外周部内面との間に間隙を有する容器であること、の各条件がすべて備ったときに生ずるを発見した。即ち上記条件がすべて備ったときにだけ、床面への衝突によりキャップ頂壁に加えられた衝撃がキャップ周壁を介して下蓋の摘み筒を急激に突上げることとなり、該突上げが該下蓋の嵌合筒に対する固定筒下方筒部分の嵌合を外すこととなることを知った。
【０００７】
本発明は、上記床面上等への容器落下時にキャップ頂壁に加わる衝撃を、下蓋と容器本体とにそれぞれ傳達させることで、上記下蓋嵌合筒からの容器本体の抜出しを防止できるよう設けたものである。
【０００８】
【課題を解決するための手段】
底壁２から嵌合筒３を、かつ外周から摘み筒４を、それぞれ起立する下蓋１と、
上記嵌合筒３外面へ、固定筒１２の下部を回動不能に嵌合させて摘み筒上方へ起立する、化粧品繰出し機構付きの容器本体１１と、
上記摘み筒上方へ起立する容器本体部分外面へ、頂壁２２外周が垂下する周壁２３を着脱自在に嵌合させたキャップ２１とからなり、
摘み筒４の上端面ないし上部外面に形成した上向き段部４ｅへ、キャップ周壁２３の下端面を当接させると共に、容器本体上端面とキャップ頂壁２２の外周部下面との間に間隙を有する棒状化粧品繰出し容器において、
上記キャップ周壁２３の上部内面へ、適当数のスペーサ２４を縦設して、該スペーサ下端面を容器本体上面へ当接ないし近接させた。
【０００９】
【発明の実施の形態】
以下先ず従来公知の部分について簡単に説明すると、棒状化粧品繰出し容器は、下蓋と、容器本体と、キャップとからなる。
【００１０】
下蓋１は底壁２の外周近くから嵌合筒３を起立し、又底壁外周から嵌合筒よりも上方まで摘み筒４を起立する。該摘み筒は図示例において、底壁外周から起立する主筒４ａとその主筒の上部内面へ下半を嵌着させた金属筒４ｂとで形成しており、該金属筒は、上下方向中間部を内面開放の外向きフランジ状壁４ｃとして金属筒上半をキャップ嵌合壁部４ｄとしている。
【００１１】
容器本体１１は、上記嵌合筒３の外面へ固定筒１２の下方筒部を回動不能に嵌着させており、又その固定筒１２の下部を除く部分外面へ把持筒１３を上下動不能にかつ回動可能に嵌合させ、更に固定筒内面へは、棒状化粧品１４の下部を装着させた受筒１５を上下動可能に嵌合させている。尚把持筒は金属製装飾筒１３ａ  を外面へ嵌着させて把持筒の一部としている。
【００１２】
上記固定筒１２と把持筒１３と受筒１５とには、棒状化粧品を容器本体から繰出し、又繰込みする繰出し機構が設けられており、図示例では固定筒１２の左右両側に長孔１２ａ  ，１２ａを穿設し、又把持筒１３の対向位置に二条の螺溝１３ｂ，１３ｂ  を穿設し、それ等長孔と螺溝との交点へ、受筒１５の左右両側から突出させたピン１５ａ，１５ａ  を長孔内へ挿通させ、かつ先端部を螺溝内へ係合させて設けている。上記繰出し機構は、長孔を螺孔に代え、螺溝を縦長溝に代えて螺孔を固定筒に、かつ縦長溝を把持筒内面に、それぞれ設けることも可能であり、受筒１５は受皿に代えることが出来る。
【００１３】
キャップ２１は、頂壁２２外周から垂下する周壁２３を把持筒１３の上部外面へ覆合させて、その周壁２３下部を摘み筒４上部を形成する、既述金属筒上半のキャップ嵌合壁部４ｄ外面へ着脱自在に嵌合させている。
【００１４】
上記構成において、棒状化粧品１４を繰出す際は、キャップ２１を外し、又把持筒１３を持ち、摘み筒４を正方向へ回せばよく、すると、長孔１２ａ，１２ａ  側面が受筒１５のピン１５ａ，１５ａ  を螺溝１３ｂ，１３ｂ  に沿って押上げすることとなって棒状化粧品は繰出され、摘み筒４を逆方向へ回すと長孔１２ａ，１２ａ  側面がピン１５ａ，１５ａ  を螺溝１３ｂ，１３ｂ  に沿って押下げすることとなり、受け筒１５が下降して棒状化粧品は繰込みされる。
【００１５】
本発明では、既述容器本体１１上端面と、キャップ頂壁２２の外周部下面との間のキャップ周壁部分内面へ適当数のスペーサ２４を付設させた、図示のようにスペーサ下端面は、容器本体１１の上端面へ近接ないし当接させる。尚キャップ周壁２３の下端面は既述外向きフランジ状壁４ｃの上面が形成する上向き段部４ｅへ当接させており、金属筒４ｂを設けない場合は摘み筒４の上端面上へ当接させておく。
【００１６】
上記構成において、キャップ頂壁２２を下方に位置させて繰出し容器を床面上等へ落下させると、その頂壁２２が床面へ接したとき、キャップ周壁２３下端面が上記外向きフランジ状壁４ｃ上面が形成する上向き段部４ｅを介して下蓋１を受け止め、又スペーサ２４下端面は、容器本体上端面へ接して該容器本体を受け止める。それ等下蓋１と容器本体１１とは、ほぼ同時にキャップ周壁２３とスペーサ２４とによって落下を停止されることとなるため、下蓋１の嵌合筒３と容器本体１１の固定筒１２下部とは、嵌合状態を保つこととなり、よってその嵌合筒から固定筒１２下部が抜け出すことはない。
【００１７】
【発明の効果】
本発明は既述構成とするものであり、よって棒状化粧品繰出し容器を倒立状態で床面上等へ落下させても、キャップ頂壁に加わった衝撃を、キャップ周壁下端を介して下蓋１の摘み筒４へ、又上記スペーサ２４を介して容器本体１１上端面へ、それぞれほぼ同時に伝達できることとなり、よって下蓋１に対して容器本体１１だけが下降して下蓋の嵌合筒３から容器本体の固定筒１２下方筒部が抜け出すことを防止することが出来る。
【図面の簡単な説明】
【図１】本発明容器体の縦断面図である。
【符号の説明】
１…下蓋                                ３…嵌合筒
４…摘み筒                    １１…容器本体
１２…固定筒              １３…把持筒
１５…受筒                ２１…キャップ
２４…スペーサ
【図１】
2004174102.tif 000003